(57)【要約】  【課題】  簡単な構成で、ラック端部での衝突音の発生を防止することが可能なラック機構を提供する。  【解決手段】  ラック１の最後の歯１ａとその手前の歯１ｂとの間から入ってラック１の端方向に延びる、略Ｌ字状のスリットｓを設けることにより、歯１ａはラック１に形成される片持ち梁１ｃの遊離端に位置することとなり、この部分にラック１の外側から力を受けたときに、片持ち梁１ｃが撓んで歯１ａが内側へ押し込まれる構成となる。加えて、歯１ａのラック１後端部側の根元部分に、図中に黒ベタで示した肉盛り部ｔを設け、歯１ａの頂点から根元まで一直線状に傾斜させることにより、駆動ギア２で歯１ａを十分に蹴り出すことができるようになる。【選択図】      図１
2007058895.tif 000002
【特許請求の範囲】
【請求項１】
ピックアップユニット側に設けられたラックと、シャーシ側に設けられて前記ラックを
駆動する駆動ギアとを有し、前記ラックと前記駆動ギアが噛み合った状態で該駆動ギアが
回転することにより、前記ラックがその長手方向に移動し、前記ピックアップユニットが
ディスクの半径方向に駆動されるようにしてなるラック機構において、
前記ラックはその長手方向で後方に向かって付勢されており、前記ラックの最後の歯を
片持ち梁の遊離端に位置するようにし、前記最後の歯の前記ラック後端部側根元部分に肉
盛り部を設け、
前記片持ち梁は、前記ラックの最後の歯とその手前の歯との間から入って該ラックの後
端方向に延びるスリットを設けることにより形成され、前記肉盛り部により、前記ラック
の最後の歯の頂点から根元まで一直線状に傾斜させてなることを特徴とするラック機構。
【請求項２】
ピックアップユニット側に設けられたラックと、シャーシ側に設けられて前記ラックを
駆動する駆動ギアとを有し、前記ラックと前記駆動ギアが噛み合った状態で該駆動ギアが
回転することにより、前記ラックがその長手方向に移動し、前記ピックアップユニットが
ディスクの半径方向に駆動されるようにしてなるラック機構において、
前記ラックはその長手方向で後方に向かって付勢されており、前記ラックの最後の歯を
片持ち梁の遊離端に位置するようにし、前記最後の歯の前記ラック後端部側根元部分に肉
盛り部を設けたことを特徴とするラック機構。
【請求項３】
前記片持ち梁は、前記ラックの最後の歯とその手前の歯との間から入って該ラックの後
端方向に延びるスリットを設けることにより形成されることを特徴とする請求項２に記載
のラック機構。
【発明の詳細な説明】
【技術分野】
【０００１】
本発明は、ＣＤ，ＤＶＤ等のディスクに対して記録或いは再生を行うディスク装置にお
いて、駆動力の伝達及び切り換えを行うラック機構に関するものである。
【背景技術】
【０００２】
従来より、このようなＣＤ，ＤＶＤ等のディスクに対して記録或いは再生を行うディス
ク装置には、ピックアップユニットを駆動するラック機構が設けられている。図３は、こ
のような従来のラック機構を模式的に示す図であり、１０１はピックアップユニット側に
設けられたラック、１０２はシャーシ側に設けられてラック１０１を駆動する駆動ギアで
ある。同図の構成において、ラック１０１と駆動ギア１０２が噛み合った状態で駆動ギア
１０２が回転することにより、ラック１０１はその長手方向に移動し、図示しないピック
アップユニットがディスクの半径方向に駆動される。なお、このようなラック機構の詳細
については、後述の実施形態において説明する。
【０００３】
その他、バックラッシュを除去することができるとともにピニオンギアの噛み合い騒音
を発生することなく、さらにピニオンギアの回転に伴う動作の遅れを生じないラックギア
を備えた電子機器が、特許文献１に開示されている。具体的には、以下の構成としている
。まず、ラックギアは樹脂を材質として一体成形され、ラックギアの各歯は基部とヒンジ
部を介して連結している。そして、歯は各々独立して間には溝が設けられ、しかも僅かに
傾斜している。すなわち、歯面は基部の取り付け面に対して垂直ではなく傾斜しているが
、ピニオンギアが噛み合うことで略垂直に起立することが出来る。
【０００４】
また、トレイの移動と、ピックアップ等を配設して録再ユニットを構成するドライブシ
ャーシの回動を、１つのモータで行うディスクローディング装置では、両者の駆動の切り
換え時に、ラックに過大な負荷がかかった状態で歯合が開始されるため、ラックが変形す
るなどの不都合が生じるので、これらの問題点を解決し、常に安定したローディング動作
を行えるようにしたディスクローディング装置が、特許文献２に開示されている。
【０００５】
また、トレイを組み付ける際にトレイのラックと駆動ギアとの噛み合わせがずれないよ
うにしたディスク装置が、特許文献３に開示されている。具体的には、駆動ギアの歯と歯
との間に逃げ部を設け、トレイのラックの導入部に逃げ部に対応する幅を有する幅広部を
設けてなり、トレイを組み付ける過程でトレイの幅広部が駆動ギアの逃げ部に嵌合して第
１のギアに噛合するトレイのラックの噛合位置と、第２のギアとを可動ベース駆動部材の
ラックの噛合位置とが一致して、１回の操作でトレイを確実に組み付けることができる構
成としている。
【０００６】
また、トレイに設けたラックギアと、モータ等により回転される駆動ギアとをかみ合わ
せ、駆動ギアの回転によりトレイをプレーヤ本体内の記録媒体再生位置とプレーヤ本体外
の記録媒体載脱位置との間に往復動させるトレイ駆動機構において、駆動ギアに欠歯部を
形成し、この欠歯部の利用によりトレイ組み込み時におけるラックと駆動ギアとの位置合
わせを容易に行い、しかも所定の関係に確実にかみ合わせ得るようにしたものが、特許文
献４に開示されている。
【特許文献１】特開２００５−６９２６２号公報
【特許文献２】特開２００２−２９８５４８号公報
【特許文献３】特開２００２−２８８９１６号公報
【特許文献４】実開平３−３７６４９号公報
【発明の開示】
【発明が解決しようとする課題】
【０００７】
しかしながら、上記図３に示したような従来の構成では、バックラッシュ除去等のため
、矢印Ａで示すように、ラック１０１はその長手方向で装置後方に向かって常時バネ等で
付勢されており、その付勢方向と反対方向（図の矢印Ａ′方向）即ち装置前方に向かって
駆動するように、駆動ギア１０２が矢印Ｂで示す方向に回転したときに問題となる。
【０００８】
つまり、同図（ａ）に示すように、駆動ギア１０２の或る歯（１０２ａで示す）がラッ
ク１０１の最後の歯１０１ａを蹴り終えた瞬間に、同図（ｂ）に示すように、ラック１０
１が矢印Ｃで示す方向即ち前記付勢した方向と同じ方向に移動し、歯１０１ａが駆動ギア
１０２の後続する歯（１０２ｂで示す）と衝突して、衝突音が発生するという不具合が生
じる。このような衝突音が発生すると、ユーザーに不快感を与えるのみならず、ラック１
０１及び駆動ギア１０２の各歯に傷や摩耗が生じるおそれがある。
【０００９】
その他、上記各特許文献に記載のような構成では、ラックと駆動ギアの噛み合わせを改
善するのみであり、上述したようなラック端部での衝突音の発生を防止する構成とはなっ
ていない。本発明は、このような問題点に鑑み、簡単な構成で、ラック端部での衝突音の
発生を防止することが可能なラック機構を提供することを目的とする。
【課題を解決するための手段】
【００１０】
上記目的を達成するために、本発明では、ピックアップユニット側に設けられたラック
と、シャーシ側に設けられて前記ラックを駆動する駆動ギアとを有し、前記ラックと前記
駆動ギアが噛み合った状態で該駆動ギアが回転することにより、前記ラックがその長手方
向に移動し、前記ピックアップユニットがディスクの半径方向に駆動されるようにしてな
るラック機構において、前記ラックはその長手方向で後方に向かって付勢されており、前
記ラックの最後の歯を片持ち梁の遊離端に位置するようにし、前記最後の歯の前記ラック
後端部側根元部分に肉盛り部を設けたことを特徴とする。
【００１１】
また、前記片持ち梁は、前記ラックの最後の歯とその手前の歯との間から入って該ラッ
クの後端方向に延びるスリットを設けることにより形成されることを特徴とする。
【発明の効果】
【００１２】
本発明によれば、簡単な構成で、ラック端部での衝突音の発生を防止することが可能な
ラック機構を提供することができる。
【００１３】
具体的には、ラックの最後の歯に肉盛り部を設け、また遊離端として変位可能にしたこ
とにより、噛み込みを起こすことなく、駆動ギアの或る歯に接触したまま蹴り出しが行わ
れ、駆動を終了することができる。これにより、動作の安定化が図られ、また従来のよう
な衝突音が無くなる。さらに、ラックを逆方向に駆動するときも、スムーズな切り替え動
作を行うことが可能となる。
【発明を実施するための最良の形態】
【００１４】
以下、本発明の実施の形態について、図面を参照しながら説明する。
【実施例１】
【００１５】
図１は、本発明の実施例１に係るラック機構を模式的に示す図であり、１はピックアッ
プユニット側に設けられたラック、２はシャーシ側に設けられてラック１を駆動する駆動
ギアである。同図の構成において、ラック１と駆動ギア２が噛み合った状態で駆動ギア２
が回転することにより、ラック１はその長手方向に移動し、図示しないピックアップユニ
ットがディスクの半径方向に駆動される。
【００１６】
また、ラックの最後の歯について、同図（ａ）は噛み合い前の状態、同図（ｂ）は噛み
合い中の状態、同図（ｃ）は噛み合い後の状態をそれぞれ示している。本実施例では同図
に示すように、ラック１の最後の歯１ａとその手前の歯１ｂとの間から入ってラック１の
端方向に延びる、略Ｌ字状のスリットｓを設けた構成としている。これにより、歯１ａは
ラック１に形成される片持ち梁１ｃの遊離端に位置することとなり、この部分にラック１
の外側から力を受けたときに、片持ち梁１ｃが撓んで歯１ａが内側へ押し込まれる構成と
なる。
【００１７】
加えて、歯１ａのラック１後端部側の根元部分に、図中に黒ベタで示した肉盛り部ｔを
設け、歯１ａの頂点から根元まで一直線状に傾斜させた構成としている。これにより、駆
動ギア２で歯１ａを十分に蹴り出すことができるようになる。なお、ラック１及び駆動ギ
ア２の材質としては、主に樹脂が使用される。
【００１８】
さて、同図（ａ）に示すように、上記従来の場合と同様にして、ラック１がその長手方
向で装置後方に向かって矢印Ａで示すように付勢されており、その付勢方向と反対方向（
図のＡ′方向）即ち装置前方に向かって駆動するように、駆動ギア２が矢印Ｂで示す方向
に回転しているとする。このとき、駆動ギア２の或る歯（２ａで示す）はラック１の最後
の歯１ａと噛み合う前の状態となっている。
【００１９】
続いて、同図（ｂ）に示すように、駆動ギア２が更に回転すると、その或る歯２ａがラ
ック１の歯１ａの肉盛り部ｔに当接し、この部分を押圧するので、スリットｓが設けられ
たことにより片持ち梁１ｃの遊離端に位置している歯１ａは、片持ち梁１ｃが撓んでラッ
ク１の内側に押し込まれた状態となる。このため、歯２ａが歯１ａに噛み込んでしまうこ
とはなく、肉盛り部ｔに歯２ａが接触したまま、駆動ギア２は更に回転することができる
。
【００２０】
最後に、同図（ｃ）に示すように、駆動ギア２が更に回転すると、ラック１が矢印Ａ′
方向に駆動され、片持ち梁１ｃの撓みが無くなって、歯１ａがラック１における元の位置
に戻る。このとき、歯２ａは肉盛り部ｔに接触したままであるが、歯１ａが十分に蹴り出
されているので、この状態で駆動ギア２によるラック１の駆動が終了する。この場合、従
来のように、歯２ａの後続する歯に歯１ａが衝突するようなことはない。
【００２１】
このように、ラックの最後の歯に肉盛り部を設け、また遊離端として変位可能にしたこ
とにより、噛み込みを起こすことなく、駆動ギアの或る歯に接触したまま蹴り出しが行わ
れ、駆動を終了することができる。これにより、動作の安定化が図られ、また従来のよう
な衝突音が無くなる。さらに、ラックを逆方向に駆動するときも、スムーズな切り替え動
作を行うことが可能となる。
【００２２】
図２は、本実施例のラック機構が適用されるピックアップユニット駆動部分を示す図で
あり、下面図で示している。ピックアップユニット３には、駆動ギア２と噛み合うラック
組立Ｒが取り付けられており、駆動ギア２によりディスクの径方向に駆動される。ラック
組立Ｒはメインラックであるラック４及びサブラックである上記ラック１よりなり、ラッ
ク４はピックアップユニット３に固定され、ラック１はラック４に対してスライド自在に
装着されている。
【００２３】
ラック１はラック４と重なり合って駆動ギア２と噛み合う上記ラック組立Ｒを形成し、
このラック１及びラック４によってダブルラックが構成される。なお、同図ではラック４
を介してラック１を透視した状態で描いてある。また、ラック１は、一端がラック４に他
端がこのラック１にそれぞれ当接するコイルバネ（不図示）によって、ラック４に対して
ディスクの外周方向に付勢される。これにより、駆動ギア２とラック１及びラック４との
噛み合わせのガタを少なくすることができ、ピックアップユニット３を正確に移動させる
ことができる。
【００２４】
さて、ディスクの再生／記録動作が終了すると、駆動ギア２が回転し、これによりピッ
クアップユニット３及びラック組立Ｒが内周方向に駆動され、内周停止位置となる。そし
て、トレイオープン動作が開始されると、駆動ギア２は更に回転し、これによりピックア
ップユニット３及びラック組立Ｒが更に内周方向に駆動されて、最内周位置となる。
【００２５】
この位置では、ラック４と駆動ギア２との噛み合わせが解除され、ラック１のみ駆動ギ
ア２と噛み合っている状態となる。ラック１は、駆動ギア２によって更に駆動され、ピッ
クアップユニット３が搭載される図示しないトラバースメカの下降や、さらには図示しな
いディスクトレイ排出に繋がる働きをする。なお、同図ではラック１が装置の最も前方ま
で駆動された状態を示している。
【産業上の利用可能性】
【００２６】
本発明は、ディスク装置に搭載されるラック機構に限らず、ラック機構全般に適用可能
である。
【図面の簡単な説明】
【００２７】
【図１】本発明の実施例１に係るラック機構を模式的に示す図。
【図２】本実施例のラック機構が適用されるピックアップユニット駆動部分を示す図。
【図３】従来のラック機構を模式的に示す図。
【符号の説明】
【００２８】
１    ラック
１ａ，１ｂ    歯
１ｃ    片持ち梁
２    駆動ギア
２ａ    歯
ｓ    スリット
ｔ    肉盛り部
【図１】
2007058895.tif 000003
【図２】
2007058895.tif 000004
【図３】
2007058895.tif 000005